(57)【特許請求の範囲】
【請求項１】
下端面長手方向に形成された凹溝を有する衝立を、机等の家具本体に垂直に支持する取付金具からなる衝立立設部材であって、この取付金具は、前記机等の家具本体に固着可能な横向片と、該横向片より上方に連設されるとともに衝立の側面に固着可能な上向片と、前記横向片と上向片との連設部分近傍の内面所定箇所から前記衝立下面の前記凹溝に嵌合されて固着可能に延設された水平片と、からなることを特徴とする衝立立設部材。
【請求項２】
水平片の端部下方に垂設された取付片が、少なくとも上向片と横向片との連結部に重合固着されている請求項１に記載の衝立立設部材。
【請求項３】
横向片の上下方向略中間部に、該横向片の下部が内向屈曲され、段部が形成されている請求項１または２に記載の衝立立設部材。
【発明の詳細な説明】
【０００１】
【発明の属する技術分野】
本発明は、衝立立設部材に係わり、特に机等の天板上に衝立を堅固に立設できる衝立立設部材に関する。
【０００２】
【従来の技術】
従来、オフィス等で机の天板に取付けられるピンナップボードまたは仕切板として使用される衝立としては、例えば実公昭６３−４５９４２号公報に開示されているようなものがあり、これは側面略Ｌ字形または逆Ｔ字形の取付金具の横向片を机の左右両側面後部にネジ止めし、前記横向片の上部から上方に連設される上向片の内面と、前記衝立の側端部とをネジ止めすることで天板上に立設されるものであった。
【０００３】
【発明が解決しようとする課題】
しかしながら、このような取付金具を用いて取付られた衝立にあっては、衝立の前後方向から加わる負荷に対する強度はあるが、衝立の両側方より左右長手方向や捩り方向など多方向から加わる負荷には対応できず、取付金具が変形して衝立が傾いてしまうことがあった。
【０００４】
また、特に背の高い衝立において、前記取付金具の上向片が短く、衝立側面上部をネジで固定出来ない場合にあっては、衝立の上方に前後いずれかの方向から負荷が加わると、衝立の下方にはその逆向きの負荷が働くため、前記取付金具の上向片のネジ部に負荷がかかり、ネジが外れたり、ネジ部周辺が破損するといった問題があった。
【０００５】
これらの問題を回避するためには、取付金具を肉厚に形成するか、あるいは、各片を長くするといったことが考えられるが、加工面や外観等を考慮すると実用的ではなかった。
【０００６】
本発明はこのような問題点を解決するため、衝立に左右方向や捩り方向の負荷が加わった場合にも、取付金具が変形せず衝立が傾かない衝立立設部材を提供することを目的としている。
【０００７】
【課題を解決するための手段】
上記目的を達成するために、本発明の衝立立設部材は、下端面長手方向に形成された凹溝を有する衝立を、机等の家具本体に垂直に支持する取付金具からなる衝立立設部材であって、この取付金具は、前記机等の家具本体に固着可能な横向片と、該横向片より上方に連設されるとともに衝立の側面に固着可能な上向片と、前記横向片と上向片との連設部分近傍の内面所定箇所から前記衝立下面の前記凹溝に嵌合されて固着可能に延設された水平片と、からなることを特徴としている。
この特徴によれば、それぞれ３次元方向に延設される横向片、上向片及び水平片とからなる取付金具によって衝立が机上面に立設されるため、衝立は多方向から加わる負荷に対応して確実に支持されるとともに、前記各片と、机及び衝立との固着部に加わる負荷が分散されるため、耐久性が向上する。また、水平片が衝立の下端面長手方向に形成された凹溝に嵌合して固着されているため、衝立を捩り方向の負荷に対してより強度が増すとともに、衝立の下端面と家具本体上面との隙間を最小限に設定して光や音の漏れを防止できる。
【０００８】
本発明の衝立立設部材は、水平片の端部より下方に垂下された取付片が、少なくとも上向片と横向片との連結部に重合固着されていることが好ましい。
このようにすることで、上向片と横向片との連結部が肉厚になり、強度が向上する。
【０００９】
本発明の衝立立設部材は、横向片の上下方向略中間部に、該横向片の下部が内向屈曲され、段部になっていることが好ましい。
このようにすることで、机等の家具本体側面より側方に突出された天板の下面に、段部上面が係止されるようになるため、横向片の支持強度が増すとともに、該横向片の固着部にかかる負荷が軽減される。
【００１１】
【発明の実施の形態】
以下、本発明の実施例を図面に基づいて説明していくと、まず図１における１は本発明実施例の衝立立設部材としての取付金具であり、２は衝立、３は天板４を有する机をそれぞれ示している。前記衝立２は左右一対の取付金具１を用いて机３の天板４上面端部に立設できるようになっている。
【００１２】
前記取付金具１は、特に図２に示されるように、横向片５と、該横向片５の端部より上方に連設される上向片６とからなり、平面部が側方を向く略Ｌ字形の金属板と、該Ｌ字形の金属板の内側面より内方に突設され、平面部が上下方向を向く水平片７とから構成される。
【００１３】
前記横向片５は、その下部が内向に屈曲されることにより上下方向中間部に段部８が形成され、また該段部８下方には取付片５ａが垂設されている。また上向片６においては、その中間部が内向に屈曲され、上部の取付片６ａが図１における衝立２の凹溝１０内に嵌合されるようになっている。そして水平片７は、その一端部より下方に垂設された略Ｌ字形の取付片７ａを介して横向片５と上向片６との連結部から横向片５の長手方向にかけての内面に溶接等により固着されている。
【００１４】
これら横向片５、上向片６及び水平片７における取付片５ａ、６ａ、７ａにはそれぞれビス１２の挿通孔１３が複数形成されている。
【００１５】
衝立２は、図１及び図３、４に示されるように、ボード部１４とその側面部を覆う複数のカバー体とから構成され、前記ボード部１４の左右両端面及び下面には、螺孔１６、１７が形成された取付板１４ａ、１４ｂとがそれぞれ固着されている。そしてこれらを取付板１４ａ、１４ｂは、図１における側部カバー体９、９により形成される凹溝１０及び下部カバー体１５に形成された凹溝１１の一面をそれぞれ構成している。尚、図１中９ａは取付金具１の装着後に凹溝１０上に着脱可能に嵌装されるカバー体である。
【００１６】
このように構成された取付金具１を用いて衝立２を机３の天板４上面端部に立設するには、まず左右一対の取付金具１の取付片６ａ、及び水平片７を衝立２の左右両側面に形成された凹溝１０、及び下面に形成された凹溝１１内に嵌合させ、ビス１２を挿通孔１３内に挿通させて螺孔１６、１７に螺締することにより、２つの取付金具１を衝立２に固定する。
【００１７】
次に、衝立２に固定された取付金具１の取付片５ａの内面を机３の脚部側面３ａに当接させ、前記取付片５ａに形成された挿通孔１３と、前記脚部側面３ａに形成された螺孔１７とを合致させた後、ビス１２を挿通孔１３内に挿通し、前記螺孔１７に螺締することで取付片５ａを脚部側面３ａに固定する。そして最後にカバー体９ａを凹溝１０内に嵌合させ、取付片６ａ及びビス１２の頭部等が覆われるようにする。
【００１８】
以上説明してきたように、本発明実施例の取付金具１を用いて机３の天板４上面端部に立設された衝立２にあっては、図３に示されるように衝立２の上方に矢印Ｐ1方向の力が加わっても、その平面部が略Ｌ字形になるように互いに連設された横向片５と上向片６とにより、衝立２は強く支持される。
【００１９】
また、その最上位にあるビス１２よりも上方位置にある衝立２に矢印Ｐ1方向に力が加わると、衝立２の下方には特に取付片６ａと取付板１４ａとを固定するビス１２を中心にして矢印Ｐ1’方向に移動しようとする反力が働くが、前記衝立２の下面は上向片６の内面より突設される水平片７でその移動が規制され、衝立２の上下部が上向片６に対して前後方向にぶれることがない。
【００２０】
このように衝立２の下面が水平片７により固定されていることで、取付片６ａと取付板１４ａとを固定するビス１２及びその周辺部に加わる負荷が軽減されるため、前記ビス１２が外れたり、その周辺部が破損すること等がなくなる。
【００２１】
さらに、横向片５の先端部には、上方に移動しようとする力が働くが、取付片５ａ上部に形成された段部８の上面が、机３の脚部側面３ａより外方に突出した天板４の端部下面４ａに係止され、上方移動が規制されるようになっている。よって脚部側面３ａと取付片５ａとの固定強度が向上するとともに、取付片５ａのビス１２及びその周辺部に加わる負荷が軽減される。
【００２２】
次に、衝立２の長手方向（図４中矢印Ｐ2方向）に力が加わった場合にあっては、ボード部１４の下面に固着された取付板１４ｂと、特に支持力の強い上向片６の下部より突設された水平片７とが直角状態を堅持し、それぞれビス１２を介して固定されていることにより、前記ボード部１４の矢印Ｐ2方向への移動が確実に規制されるようになっているので、衝立２の移動で上向片６が変形してしまうといった恐れがない。
【００２３】
さらに水平片７の端部より下方に垂設された取付片７ａが、横向片５と上向片６との連結部から横向片５の長手方向にかけての内面に重合固定されていることにより、その固着部即ち上向片６と横向片５との連結部及びその近傍の強度が向上されることになる。
【００２４】
このようにそれぞれ３次元方向に延設される横向片５、上向片６及び水平片７とからなる取付金具１を用いて衝立２を天板４上面に立設すれば、衝立２は多方向から加わる負荷に対応して確実に支持でされるとともに、前記各片と机及び衝立との各固着部に加わる負荷が分散されるため、耐久性が向上する。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
例えば、取付金具１の各片の形状、長さ、肉厚等は種々に変形可能であり、特に限定されるものではない。
【００２７】
【発明の効果】
本発明は次の効果を奏する。
【００２８】
（ａ）請求項１の発明によると、それぞれ３次元方向に延設される横向片、上向片及び水平片とからなる取付金具によって衝立が机上面に立設されるため、衝立は多方向から加わる負荷に対応して確実に支持されるとともに、前記各片と、机及び衝立との固着部に加わる負荷が分散されるため、耐久性が向上する。また、水平片が衝立の下端面長手方向に形成された凹溝に嵌合して固着されているため、衝立を捩り方向の負荷に対してより強度が増すとともに、衝立の下端面と家具本体上面との隙間を最小限に設定して光や音の漏れを防止できる。
【００２９】
（ｂ）請求項２の発明によると、上向片と横向片との連結部が肉厚になり、強度が向上する。
【００３０】
（ｃ）請求項３の発明によると、机等の家具本体側面より側方に突出された天板の下面に、段部上面が係止されるようになるため、横向片の支持強度が増すとともに、該向片の固着部にかかる負荷が軽減される。
【００３２】
【図面の簡単な説明】
【図１】本発明実施例を表わす組立分解図である。
【図２】図１における取付金具の拡大斜視図である。
【図３】取付金具により衝立が立設された机の要部側面図である。
【図４】図３のＡ−Ａ断面図である。
【符号の説明】
１                取付金具（衝立立設部材）
２                衝立
３                机
３ａ              脚部側面
４                天板
４ａ              下面
５                横向片
５ａ、６ａ、７ａ  取付片
６                上向片
７                水平片
８                段部
９、９ａ          側部カバー体
１０、１１          凹溝
１２                ビス
１３                挿通孔
１４                ボード部
１５                下部カバー体
１６、１７          螺孔
【図１】
0003640440.tif 000002
【図２】
0003640440.tif 000003
【図３】
0003640440.tif 000004
【図４】
0003640440.tif 000005